(57)【要約】【課題】家庭用電気掃除機は、同一室内で吸引と排気が行われ、目に見えない微細な塵埃が室内に飛び舞うことは環境衛生上問題である。そこで室内環境に配慮し、一般家庭用とし実用的な簡易な装置で経費負担の低廉な電気掃除機が求められている。【解決手段】本願は室内に排気しないため、電気掃除機に排気口を設け、屋外の所定の場所まで室内バイパスで排気できるパイプ管を接続したものである。このパイプ管の内部に挿通された「伸縮紐」は、排気口から屋外の所定の場所までの２点間を、距離と経路を自在に繋ぎ、パイプ管の通気機能を損なわず、双方を繋ぎ屋外の所定の場所に確実に排気できるシステムである。このパイプ管は電気掃除機本体と一対となり、持ち運びや操作が簡易であり、クリーンな環境の中で清掃作業ができる。一般家庭のニーズに応えられる電気掃除機である。【選択図】図１
2018161458.tif 000002
【特許請求の範囲】
【請求項１】
一般家庭用電気掃除機に排気口を設け、排気を屋外の所定の場所に確実に排気できるパイプ管は、任意の円周でしなやかな伸縮性の乏しい素材の「管」であるが、内側にはしなやかで伸縮性豊かな「紐」が挿通され、屋外の所定の場所に係止できるパイプ管であり、
この２点間において、
「紐」は繋ぐことが可能な実延長に近い長さに設定し、「管」は「紐」より長く余裕を持って設定し、必要により「紐」を伸ばし「管」と同一の長さに合わせることにより、屋外の所定の場所に確実に排気できる一般家庭用電気掃除機。
【発明の詳細な説明】
【技術分野】
【０００１】  本発明は、一般家庭用電気掃除機（以下、単に電気掃除機という）の清掃作業は、吸塵と排気が同室内で行われ、フィルターを通過した目に見えない微細な塵埃が混ざった排気が室内に舞い上がることになる。そこで、電気掃除機からの排気を室内に放出せず「工夫されたパイプ」で直接屋外の所定の場所に排気することにより、当該室内はクリーンな環境が保てるシステムである。
【背景技術】
【０００２】  電気掃除機は吸引と排気を行うファンモーターの勢いから、吸引量と排気量はほぼ同量と考えるのが一般的である。肉眼で見える塵埃の捕捉度は１００％に近いものと考えられるが、それ以下の粒子に対しては疑問が残るのは当然であり、清掃中は室内には目に見えない超微細な塵埃が、相当の時間にわたって舞い上がっていることは確かである。
そして、塵埃にはゴミやホコリを始め、蚤、ダニ、シラミなどその死骸、その外細かい砂塵も飛来している今日この頃である。特に、乳幼児やアレルギー、肺疾患などは元より、老若男女を問わず一般人でも清掃中の劣悪な環境は嫌悪感を抱くところであります。
【先行技術文献】
【特許文献】
【０００３】
【特許文献１】特開２０１２−１２５５２８号
【特許文献２】特開平６−３０４０９５号
【特許文献３】実開平５−３５０４７号
【特許文献４】実開昭和６１−１５１６４８号
【特許文献５】実願昭５２−０４３７１３号
【特許文献６】特開２０１２−０７７７６５号公報
【特許文献７】特開平１０−１６５３４０号公報
【発明の概要】
【発明を解決しようとする課題】
【０００４】特許文献１に示す公知例では、各部屋に排気ホースを取り付ける口を窓枠や戸枠にあらかじめ工事をして、取り付け部分を設置しておく必要があり、使用者の負担が大きく、また機能的にも一般家庭では実用的でない。
【０００５】特許文献２は、工場内の無塵室での清掃を仮定した掃除機と思われ、上記特許文献１よりもさらに大規模な工事があらかじめ必要とされ、家庭内ではそのような大規模な工事は負担が大きく、実施は不可能である。
【０００６】特許文献３は、掃除機本体の排気口に、室外排気用のパイプ取付口を備えた電気掃除機が提案されている。そして「パイプは屈曲自在且つ延設可能な室外排気パイプで、伸縮自在の蛇腹などで、不使用時は潰れており、使用時に空気圧によって膨らむような素材を利用してもよく、」更に「またパイプの途中途中に車輪を取り付けて、室内床面に対するパイプの動きを自由にすることなども好ましい。」と引例は記載されている。しかし、如何なるパイプであっても、清掃時には必ずパイプに引っ張る力が働き耐え難い圧力がかかる。不使用時は潰れ、空気圧によって膨らむような素材は、伸縮性に弱く、引っ張ると破損しやすい。よってパイプの延長距離は制限される。そして、パイプを部屋越し窓越しに使用する場合は角などのコーナーではパイプが屈折し通気が止まり致命的である。また伸縮自在な蛇腹は、送風の途中に塵埃が蓄積し不適である。増して、この素材の＠パイプの途中に車輪を取り付けることはパイプにかかる負担が大きくパイプが破損し易い。本願のパイプの「管」には、清掃中直接引っ張る張力は働かず、パイプ管が破損する恐れはなく、一定の通気機能が確保できる。
【０００７】特許文献４は、部屋全体の空気の清浄化を図る方式であり、病院や食品工場などを生業とする目的で、一般家庭用としては実用的でない。
【０００８】特許文献５の排気用ホースは、掃除機本体から屋外に面した窓又は戸及び室外に通じる場所の枠等に、着脱自在であるがこれらの場所に合った留め具により「排気放出具」が取り付けられ固定されるものである。素材は合成樹脂等の排気用ホースで、大きさ質量から持ち運びや収納管理に限界がある。その延長も限られ清掃範囲が限定され、１部屋毎に「排気放出具」の着脱を必要とする。そしてホースの長さ、及び家屋の構造から清掃不可の場所もあり得るものである。一般家庭用として実用化されていない現実がある。
本願は内部にパイプ管より短い伸縮性のある紐を通し、パイプの管部には張力の負荷が掛からず、折れ曲がっても一定の通気が確保できパイプが破損することはない。またパイプ管の両端はワンタッチの係り止めで固定できる。よって、システムの原理と利便性を異なる。
【０００９】特許文献６は、吸気ホースは電気掃除機の本体機能の致命に関わる重要なホース部である。清掃中はホースのしなやかな撓みにより、屈曲や牽引の張力が最も激しく可動し、亀裂や破損の危険性が最も高いホース部である。重要な吸気ホースの過度の伸びを抑制するため、プルリリーフと呼ばれる伸縮性の乏しいワイヤー（金属線や合成樹脂繊維）は、ホース本体の内側に這わせ接合一体化させたものである。更にその端部の連結部にはホース本体より硬質な素材で補強されているが、円筒形状のホース本体に加わる両端の牽引力や屈曲の圧力に対し、プルリリーフはホース本体と一体となりホース機能自体を積極的に保護するための用具で、ホース本来の機能を擁護するものである。然るに、この引例のプルリリースはホースの部材を二重に貼り合わせホース機能の耐用寿命を引き延ばす補強装具で、別の課題の機能を負荷補完するものではない、電気掃除機の吸気ホース機能と同一の補強体である。
本願の電気掃除機の排気パイプ管は、引例文献とは逆にパイプ管は取り替え自在な消耗品で補強保護する必要はない。家の構造に沿った清掃作業を可能にするため、自在な延長で自在な箇所とを繋ぐ、しなやかで伸縮性に乏しいパイプ「管」の通気機能と、しなやかで伸縮性が豊かな「ゴム製の紐」の引導機能を複合し、双方の「管」と「紐」の長さの相関関係を利した、新たにバイパス機能を備えたパイプ管を創造したものである。このシステムは一般家庭においてクリーンな清掃が簡易にできる安価な電気掃除機である。
よって、本願と引例文献とは意図する機能の原理を異にし、対象も異なっている。
【００１０】特許文献７は、電気掃除機の吸気部のホースにおいて、ホースの外に紐を付けてホース自体の延長を制限し、引っ張り撓みによる破損を防止するものであり、本願とは手法、及び対象において相違している。
【発明の概要】
【発明が解決しようとする課題】
【００１１】清掃時に吸気と排気が同室内で行われ、多くの人が不快感を抱くような電気掃除機において、フィルター機能の精度が問われ競われているところである。家庭用として求められる実用的な電気掃除機は、家屋に造作を施さず、操作が簡単軽易で清掃効果が高いこと、そして持ち運び自在で、費用負担が低廉な一般家庭用電気掃除機が求められています。
【課題を解決するための手段】
【００１２】（請求項１）
一般家庭用電気掃除機に排気口を設け、排気を屋外の所定の場所に確実に排気できるパイプ管は、任意の円周でしなやかな伸縮性の乏しい素材の「管」であるが、内側にはしなやかで伸縮性豊かな「紐」が挿通され、屋外の所定の場所に係止できるパイプ管であり、
この２点間において、
「紐」は繋ぐことが可能な実延長に近い長さに設定し、「管」は「紐」より長く余裕を持って設定し、必要により「紐」を伸ばし「管」と同一の長さに合わせることにより、屋外の所定の場所に確実に排気できる一般家庭用電気掃除機。【００１３】・電気掃除機に設けた排気口から室内バイパスで屋外に設けた自在の所定の場所まで通気し、確実に排気できるパイプ管は、「管」の直径は任意で普段は潰れて方向性が定まらないが、しなやかなナイロンやビニロン系の伸縮性に乏しい「管」である。このパイプ管に挿通して排気を自在の所定の場所に導き繋ぐ紐は、ゴムやバネ製の素材がつなぎ込まれた伸縮性が豊かでしなやかな紐である。（以下この紐を単に「伸縮紐」という。）
・「伸縮紐」は、自在の距離に対応でき、自在の経路にも応じられ、任意の所定の場所に繋ぎ止めることができる。
・このパイプ管による排気機能は、パイプの「管」部を「伸縮紐」より長く余裕を持って設定し、室内から廊下のコーナーや窓越しに任意の場所まで這わせ、清掃作業終了後に「伸縮紐」を直線上に伸ばし「管」と同一の長さにすることで、掃除機からの通気圧による排気機能が高まるシステムである。
・即ち、伸縮性のない「管」と伸縮性豊かな「伸縮紐」との長さの相関関係がパイプ管の通気機能をアップするシステムで、双方が同一の長さになった時が１００％の通気能力である。
・パイプ延長用の補助パイプは、必要により継ぎ足すことができる。また、「伸縮紐」は数種類の長さのスペアを備えると良い。双方は「掃除機本体の使用耐用年数」に対し、排気パイプ管は消耗品的用具である。【００１４】・電気掃除機によるフィルター機能を通過した排気は、室内バイパスで屋外の所定の箇所に排出されるが、必要により排気の浄化を図るため、パイプ管の末端に不織布のマスク（袋）を取り付け、外気の環境への配慮が肝要である。
【発明の効果】
【００１５】  排気が室内に放出される嫌悪感を払拭できる家庭用電気掃除機は、排気を室内バイパスで屋外の所定の場所に確実に排気できるパイプ管が取り付けられ、室内には排気されずクリーンな環境で清掃作業ができるシステムである。パイプの「管」と「紐」の長さの相関関係を利して通気が機能し排気できるパイプを創造したものである。
この一般家庭用電気掃除機は、追加経費負担が低廉であり、パイプ管は掃除機本体と一対となり排気音は低く、持ち運び移動操作等が簡便であり、クリーンな環境で安心して各部屋の清掃ができる。
【図面の簡単な説明】
【００１６】
【図１】本発明の基本構成図
【図２】パイプ延長用の補助パイプ
【図３】パイプ管を繋いだ詳細であって、パイプの中に「伸縮紐」が挿通し、その両端にナスカンが設けてある。
【図５】本発明の効果を表わした構成図。
【発明を実施するための形態】
【００１７】電気掃除機により吸気されフィルター機能を通過した排気を、本発明のパイプ管により室内バイパスで、屋外の所定の箇所に排出するシステムである。１部屋の掃除において、延長用補助パイプは必要な本数を使用し長さに余裕のあるパイプ管は、部屋から窓越し廊下越しに這わせて折れ曲がっても「伸縮紐」により繋ぎ止められた終点（ナスカン６）の箇所までパイプ管の通気は塞がらずセットできる。そして各部屋の清掃作業終了後は掃除機の排気口と排気する所定の排気場所とを直線状にし、「伸縮紐」を引っ張りパイプ管の長さまで伸ばすと、パイプ管の通気機能がアップするシステムである。
【実施例】
【００１８】図１の実施例は、家庭用電気掃除機の排気口に発明のパイプ管を数本取り付けた図面である。掃除機からの排気を、室内に放出せず「伸縮紐」が内部に挿通したパイプ管で屋外の所定の場所に排気を送気できるシステムである。末端には不織布マスクが巻き付けられ排気を濾し「伸縮紐」に取り付けたナスカンを屋外所定の場所の錘に係止し固定する。
この電気掃除機一対は、移動も容易で清掃効果が高く家庭用として利便性が高い。【００１９】図２が排気用パイプを延長する場合に用いる延長用のパイプについての説明図である。
パイプの材質はしなやかなナイロンやビニロン系の素材で普段は形を成さず潰れている、数はいくつあっても良いし、それらを繋ぐ場合には粘着テープやホースバンドで繋いでも良い、またパイプに図（ｂ）に示す様な中継ぎ用にプラスティック製のリングを設け段差に食い込ませても良い。またここにネジを切っても良い。パイプ管の耐用期間は電気掃除機本体に対し消耗品である。【００２０】図３が本発明の内部に「伸縮紐」が挿通されたパイプ管の図面である。「伸縮紐」の両端にはナスカンを設け、片方は掃除機側に、もう片方は屋外の所定の位置に係止する。パイプの「管」も両端は同様の位置に固定するが、「管」の実延長は「伸縮紐」より１〜２倍である。【００２１】図４が本発明の効果を表わした、清掃作業状況の図面である。電気掃除機に排気口を設け、排気を室内バイパスで、屋外の任意の場所に、確実に排気できるパイプ管を設けた電気掃除機である。排気用パイプ管を部屋から壁のコーナー１１、１２、１３、１４、に這わせた平面的図面である。パイプ管が折れ曲がっても、通気は塞がらず一定の通気が確保でき、清掃終了後はパイプを直線上にし、「管」と「伸縮紐」を同一の長さにすることにより通気が１００％機能するシステムである。末端に設けた不織布マスクで濾し、排気パイプ管を所定の場所の錘に係止できる。また、止め用具として鈎釘などを用意しても良い。
【産業上の利用可能性】
【００２２】電気掃除機の清掃作業は、同室内で吸塵と排気が行われ、クリーンな室内環境の観点から疑念を抱く人は少なくない。そこで電気掃除機に直接屋外に排気できるパイプを取り付け、フィルターを通過した排気を室内バイパスで屋外に確実に排出できる装置である。家屋には一切の造作を施さないシステムで、持ち運びが自在で各部屋の清掃作業が容易である。一般家庭用として安価な電気掃除機である。
【符号の説明】
【００２３】１  電気掃除機本体
２  排気パイプ
３  伸縮紐
４  排気受部
５  ナスカン
６  ナスカン
７  不織布マスク
８  錘
１１、１２、１３、１４  壁などのコーナー
【図１】
2018161458.tif 000003
【図２】
2018161458.tif 000004
【図３】
2018161458.tif 000005
【図４】
2018161458.tif 000006
【手続補正書】
【提出日】平成29年5月11日(2017.5.11)
【手続補正１】
【補正対象書類名】明細書
【補正対象項目名】００１６
【補正方法】変更
【補正の内容】
【００１６】
【図１】本発明の基本構成図。
【図２】パイプ延長用の補助パイプ。
【図３】パイプ管を繋いだ詳細であって、パイプの中に「伸縮紐」が挿通し、その両端にナスカンが設けてある。
【図４】本発明の効果を表わした構成図。
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
電気掃除機の排気口に一端が接続され、他端が屋外の所定の場所に係止されて、前記排気口から排出された排気を前記屋外の所定の場所に排出するためのパイプ管であって、
しなやかで伸縮性の乏しい素材から成る管本体と、
前記管本体の内側に挿通され、しなやかで伸縮性の豊かな素材から成る紐と、
を有するパイプ管を備え、
前記紐は、伸ばさない状態において、前記室内で用いられる電気掃除機の排気口と、前記屋外の所定の場所とを繋ぐことが可能な実延長に近い長さを有し、
前記管本体は、前記紐を伸ばしたときの長さと同一の長さを有することを特徴とする電気掃除機の排気システム。
【手続補正２】
【補正対象書類名】明細書
【補正対象項目名】全文
【補正方法】変更
【補正の内容】
【発明の詳細な説明】
【技術分野】
【０００１】
本発明は、電気掃除機のフィルターを通過した目に見えない微細な塵埃が混ざった排気を室内に放出せずに直接屋外の所定の場所に排気することができる電気掃除機の排気システムに関する。
【背景技術】
【０００２】
電気掃除機は、吸引と排気を行うファンモーターの勢いから、吸引量と排気量はほぼ同量と考えるのが一般的である。肉眼で見える塵埃の捕捉度は100％に近いものと考えられるが、それ以下の粒子に対しては疑問が残るのは当然であり、清掃中は室内には目に見えない超微細な塵埃が、相当の時間にわたって舞い上がっていることは確かである。
【０００３】
そして、塵埃にはゴミやホコリを始め、蚤、ダニ、シラミなどその死骸、その外細かい砂塵も飛来している今日この頃である。特に、乳幼児やアレルギー、肺疾患などは元より、老若男女を問わず一般人でも清掃中の劣悪な環境は嫌悪感を抱くところであり、このような問題を解決する従来技術は、たとえば特許文献１〜７に記載されている。
【０００４】
特許文献１に示される従来技術では、各部屋に排気ホースを取り付ける口を窓枠や戸枠にあらかじめ工事をして、取り付け部分を設置しておく必要があり、使用者の負担が大きく、また機能的にも一般家庭では実用的でない。
【０００５】
特許文献２に示される従来技術では、工場内の無塵室での清掃を想定した掃除機と思われ、上記特許文献１の従来技術よりもさらに大規模な工事があらかじめ必要とされ、家庭内ではそのような大規模な工事は負担が大きく、実施は不可能である。
【０００６】
特許文献３に示される従来技術では、掃除機本体の排気口に、室外排気用のパイプ取付口を備えた電気掃除機が提案されている。そして「パイプは屈曲自在且つ延設可能な室外排気パイプで、伸縮自在の蛇腹などで、不使用時は潰れており、使用時に空気圧によって膨らむような素材を利用してもよく、」、さらに「またパイプの途中途中に車輪を取り付けて、室内床面に対するパイプの動きを自由にすることなども好ましい。」と記載されている。しかし、如何なるパイプであっても、清掃時には必ずパイプに引っ張る力が働き、耐え難い圧力がかかる。不使用時は潰れ、空気圧によって膨らむような素材は、伸縮性に弱く、引っ張ると破損しやすい。よってパイプの延長距離は制限される。そして、パイプを部屋越し窓越しに使用する場合は、角などのコーナーではパイプが屈折し、通気が止まり致命的である。また伸縮自在な蛇腹は、送風の途中に塵埃が蓄積し不適である。増して、この素材のパイプの途中に車輪を取り付けることは、パイプにかかる負担が大きく、パイプが破損し易い。
【０００７】
特許文献４に示される従来技術では、部屋全体の空気の清浄化を図る方式であり、病院や食品工場などを生業とする目的で、一般家庭用としては実用的でない。
【０００８】
特許文献５に示される従来技術では、排気用ホースが掃除機本体から屋外に面した窓又は戸及び室外に通じる場所の枠等に、着脱自在であるが、これらの場所に合った留め具により、「排気放出具」が取り付けられて固定されるものである。素材は合成樹脂等の排気用ホースであるが、大きさ、質量から持ち運びや収納管理には限界がある。その延長も限られているので清掃範囲が限定され、１部屋毎に「排気放出具」の着脱を必要とする。そして排気用ホースの長さ、及び家屋の構造から清掃不可の場所もあり得るものである。一般家庭用として実用化されていない現実がある。
【０００９】
特許文献６に示される従来技術では、吸気ホースは電気掃除機の本体機能の致命に関わる重要なホース部であって、清掃中はホースのしなやかな撓みにより、屈曲や牽引の張力が最も激しく可動し、亀裂や破損の危険性が最も高い吸気ホースの技術が提案されている。この従来技術では、重要な吸気ホースの過度の伸びを抑制するため、プルリリーフと呼ばれる伸縮性の乏しいワイヤー（金属線や合成樹脂繊維）を、ホース本体の内側に這わせ、接合一体化させている。更にその端部の連結部には、ホース本体より硬質な素材で補強されているが、円筒形状のホース本体に加わる両端の牽引力や屈曲の圧力に対し、プルリリーフはホース本体と一体となり、ホース機能自体を積極的に保護するための用具で、ホース本来の機能を擁護するものである。然るに、この従来技術のプルリリースは、ホースの部材を二重に貼り合わせ、ホース機能の耐用寿命を引き延ばす補強装具で、別の課題の機能を負荷補完するものではなく、電気掃除機の吸気ホース機能と同一の補強体である。
【００１０】
特許文献７に示される従来技術では、電気掃除機の吸気部のホースにおいて、ホースの外に紐を付けてホース自体の延長を制限し、引っ張り撓みによる破損を防止する技術が提案されている。
【先行技術文献】
【特許文献】
【００１１】
【特許文献１】特開２０１２−１２５５２８号公報
【特許文献２】特開平６−３０４０９５号公報
【特許文献３】実開平５−３５０４７号公報
【特許文献４】実開昭６１−１５１６４８号公報
【特許文献５】実願昭５２−０４３７１３号（実開昭５３−１３８４６７号）のマイクロフィルム
【特許文献６】特開２０１２−０７７７６５号公報
【特許文献７】特開平１０−１６５３４０号公報
【発明の概要】
【発明が解決しようとする課題】
【００１２】
清掃時に吸気と排気が同室内で行われ、多くの人が不快感を抱くような電気掃除機において、フィルター機能の精度が問われ競われているところである。家庭用として求められる実用的な電気掃除機の排気システムとして、家屋に造作を施さず、操作が簡単軽易で清掃効果が高いこと、そして持ち運び自在で、費用負担が低廉な一般家庭用電気掃除機に実施可能な汎用性の高い排気システムが求められている。
【００１３】
したがって本発明の目的は、上述の技術的課題を解決し、簡単な構成によって、電気掃除機から排出される微細な塵埃を含む排気を、低コストで確実に屋外へ排気することができる汎用性の高い電気掃除機の排気システムを提供することである。
【課題を解決するための手段】
【００１４】
本発明は、電気掃除機の排気口に一端が接続され、他端が屋外の所定の場所に係止されて、前記排気口から排出された排気を前記屋外の所定の場所に排出するためのパイプ管であって、
しなやかで伸縮性の乏しい素材から成る管本体と、
前記管本体の内側に挿通され、しなやかで伸縮性の豊かな素材から成る紐と、
を有するパイプ管を備え、
前記紐は、伸ばさない状態において、前記室内で用いられる電気掃除機の排気口と、前記屋外の所定の場所とを繋ぐことが可能な実延長に近い長さを有し、
前記管本体は、前記紐を伸ばしたときの長さと同一の長さを有することを特徴とする電気掃除機の排気システムである。
【００１５】
本発明は、以下の態様が可能である。
・電気掃除機に設けられた排気口から室内バイパスで屋外に設けた自在の所定の場所まで通気し、確実に排気できるパイプ管は、「管本体」の直径は任意で普段は潰れて方向性が定まらないが、しなやかなナイロンやビニロン系の伸縮性に乏しい素材から成る。この管本体に挿通して排気を自在の所定の場所に導き繋ぐ紐は、ゴムやバネ製の素材がつなぎ込まれた伸縮性が豊かでしなやかな紐である。（以下この紐を単に「伸縮紐」という場合がある。）
【００１６】
・「伸縮紐」は、自在の距離に対応でき、自在の経路にも応じられ、任意の所定の場所に繋ぎ止めることができる。
【００１７】
・このパイプ管による排気機能は、パイプの「管」部を「伸縮紐」より長く余裕を持って設定し、室内から廊下のコーナーや窓越しに任意の場所まで這わせ、清掃作業終了後に「伸縮紐」を直線状に伸ばし「管」と同一の長さにすることで、掃除機からの通気圧による排気機能が高まるシステムである。
【００１８】
・即ち、伸縮性のない「管」と伸縮性豊かな「伸縮紐」との長さの相関関係がパイプの通気機能をアップするシステムで、双方が同一の長さになったときが１００％の通気能力である。
【００１９】
・パイプ延長用の補助パイプは、必要により継ぎ足すことができる。また、「伸縮紐」は数種類の長さのスペアを備えると良い。双方は「掃除機本体の使用耐用年数」に対し、パイプ管は消耗品的用具である。
【００２０】
・電気掃除機によるフィルター機能を通過した排気は、室内バイパスで屋外の所定の箇所に排出されるが、必要により排気の浄化を図るため、パイプ管の末端に不織布のマスク（袋）を取り付け、外気の環境への配慮が肝要である。
【発明の効果】
【００２１】
本発明によれば、排気が室内に放出される嫌悪感を払拭できる電気掃除機には、排気を室内バイパスで屋外の所定の場所に確実に排気できるパイプ管が取り付けられ、室内には排気されずクリーンな環境で清掃作業ができるシステムである。パイプ管の「管本体」と「紐」の長さの相関関係を利用して通気能力を充分に機能させて排気できる排気システムを創造したものである。
【００２２】
この電気掃除機の排気システムは、追加経費負担が低廉であり、パイプ管は掃除機本体と一対となり排気音は低く、持ち運び移動操作等が簡便であり、クリーンな環境で安心して各部屋の清掃ができる。
【図面の簡単な説明】
【００２３】
【図１】本発明の一実施形態の電気掃除機の排気システムの基本的構成を示す図である。
【図２】パイプ延長用の延長用パイプ２１〜２３およびリング２４，２５を示す図である。
【図３】パイプ管２を電気掃除機本体１と錘８とに繋いだ詳細であって、管本体の中に伸縮紐３が挿通し、その両端にナスカン５，６が設けられた状態を示す図である。
【図４】本実施形態の排気システムの効果を説明するための図である。
【発明を実施するための形態】
【００２４】
図１は本発明の一実施形態の電気掃除機の排気システムの基本的構成を示す図である。本実施形態の電気掃除機の排気システムは、電気掃除機により吸気されてフィルター機能を通過した排気を、パイプ管２により室内バイパスで、屋外の所定の箇所に排出するシステムである。パイプ管２を備えた電気掃除機は、持ち運び移動操作等が簡便であり、１部屋の掃除において、延長用補助パイプは必要な本数を使用し、長さに余裕のあるパイプ管２は、部屋から窓越し、廊下越しに這わせて折れ曲がっても、伸縮紐３により繋ぎ止められた終点、すなわちナスカン６の箇所までパイプ管２の通気路を塞がずにセットすることができる。そして、各部屋の清掃作業終了後は、電気掃除機の排気口と、その排気を排出する所定の排出場所とを直線状、あるいは折り返し状にし、伸縮紐３を引っ張り、パイプ管２の長さまで伸ばすと、パイプ管２の通気機能がアップするシステムである。
【００２５】
図１は、家庭用電気掃除機の排気口にパイプ管２を数本取り付けた状態を示す。電気掃除機からの排気を、室内に放出せず伸縮紐３が内部に挿通されたパイプ管２で屋外の所定の場所に排気を送気できるシステムである。末端には不織布マスク７が巻き付けられて排気を濾し、伸縮紐３に取り付けたナスカン６を屋外所定の場所の錘８に係止し固定する。この電気掃除機は、移動も容易で清掃効果が高く、家庭用として利便性が高い。
【００２６】
図２はパイプ管２を延長する場合に用いる延長用パイプ２１〜２３およびリング２４，２５を示す図である。延長用パイプ２１〜２３の材質は、しなやかなナイロンやビニロン系の素材から成り、普段は形を成さず潰れている、数はいくつあっても良いし、それらを繋ぐ場合には粘着テープやホースバンドで留めたり繋いでも良い。また延長用パイプ２１〜２３に図２(ｂ)に示す様な中継ぎ用にプラスティック製のリング２４を設け、段差に延長用パイプ２１〜２３の端部を食い込ませるように構成されても良い。また中継ぎ用リング２５にネジを切っても良い。パイプ管２の耐用期間は、電気掃除機本体１に比べて短く、消耗品である。
【００２７】
図３はパイプ管２を電気掃除機本体１と錘８とに繋いだ詳細であって、管本体の中に伸縮紐３が挿通し、その両端にナスカン５，６が設けられた状態を示す図である。伸縮紐３の両端にはナスカン５，６を設け、片方は電気掃除機側に、もう片方は屋外の所定の位置に設置された錘８に係止する。管本体も両端は同様の位置に配置されるが、管本体の実延長は伸ばさない状態における伸縮紐３の長さの１〜２倍程度が適当である。
【００２８】
図４は本実施形態の排気システムの効果を説明するための図である。同図は、電気掃除機の排気口からの排気を室内バイパスで、屋外の任意の場所に、確実に排気できるパイプ管２を設けた電気掃除機の排気システムであって、パイプ管２を部屋から壁のコーナー１１，１２，１３，１４に這わせた状態を示す。パイプ管２が折れ曲がっても、通気路は塞がらず一定の通気が確保でき、清掃終了後はパイプ管２を直線状、あるいは折り返し状にし、「管本体」と「伸縮紐」を同一の長さにすることにより、通気能力を１００％機能させることができる排気システムである。パイプ管２の末端に設けた不織布マスク７は、パイプ管２の末端のリング２４と伸縮紐３の末端のナスカン６とに覆い被せられており、これによって排気を濾し、パイプ管２を所定の場所に設置した錘８に係止することができる。また、止め用具として鈎釘などを用意しても良い。
【００２９】
以上のように本実施形態の電気掃除機の排気システムでは、パイプ管２の管本体には、清掃中に直接引っ張る張力は働かず、管本体が破損する恐れはなく、一定の通気機能が確保できる。また、管本体の内部には、伸ばさない状態において管本体よりも短い伸縮性のある紐が挿通されるので、管本体には張力の負荷が掛からず、折れ曲がっても一定の通気を確保することができ、管本体が破損することはない。さらに、パイプ管２の両端は、ナスカン５，６によってワンタッチの係り止めで固定できるので、利便性の高い排気システムを実現することができる。さらに、パイプ管２は取り替え自在な消耗品であり、補強保護する必要がなく、家の構造に沿った清掃作業を可能とすることができ、自在な延長で自在な箇所とを繋ぐことができる、しなやかで伸縮性に乏しい管本体の通気機能と、しなやかで伸縮性が豊かな伸縮紐の引導機能とを相関的に補完し、管本体および伸縮紐の双方の長さの相関関係を利用して、自在なバイパス機能を有する使い勝手の高いパイプ管２が実現される。これによって一般家庭においてクリーンな清掃を簡易に行うことが可能となり、安価な電気掃除機の排気システムを提供することができる。
【産業上の利用可能性】
【００３０】
電気掃除機の清掃作業は、同室内で吸塵と排気が行われ、クリーンな室内環境の観点から疑念を抱く人は少なくない。そこで電気掃除機に直接屋外に排気できるパイプ管を取り付け、フィルターを通過した排気を室内バイパスで屋外に確実に排出でき、家屋には一切の造作を施さない排気システムであって、持ち運びが自在で各部屋の清掃作業が容易であり、一般家庭用として安価な電気掃除機の排気システムとして好適に実施可能である。
【符号の説明】
【００３１】
１  電気掃除機本体
２  排気パイプ
３  伸縮紐
４  排気受部
５  ナスカン
６  ナスカン
７  不織布マスク
８  錘
１１、１２、１３、１４  壁などのコーナー